(57)【特許請求の範囲】
【請求項１】
コンピュータが実行する、
店舗においてユーザが購入したことに応じて特典が付与される対象商品を識別するための商品識別情報と、前記店舗を識別するための店舗識別情報と、前記ユーザを特定するためのユーザ識別子とを関連付けて記憶部に記憶させるステップと、
前記ユーザのユーザ端末から、前記ユーザ識別子と、前記ユーザが店舗で決済するための決済用コードの取得要求とを受け付けるステップと、
前記取得要求を受け付けると、前記決済用コードを生成するための決済用トークンを前記ユーザ識別子と対応付けて生成するステップと、
生成した前記決済用トークンを前記ユーザ端末に送信するステップと、
前記決済用トークンに基づいて前記ユーザ端末が表示した前記決済用コードを読み取った店舗端末から、前記ユーザが購入する一以上の商品の決済に用いるための決済情報と、前記店舗端末に対応する店舗の店舗識別情報と、前記決済用トークンと、前記一以上の商品のうち一以上の前記対象商品を特定するための特典対象商品情報と、を受信するステップと、
前記店舗端末から前記決済用トークンを受信すると、前記決済用トークンに対応するユーザ識別子に基づいて決済処理を行うステップと、
前記店舗端末から前記決済用トークンを受信すると、前記決済用トークンに対応するユーザ識別子に関連付けられて前記記憶部に記憶されている前記店舗識別情報と前記商品識別情報とを特定し、受信した前記店舗識別情報と前記特典対象商品情報とが、特定した前記店舗識別情報と前記商品識別情報とに対応している場合に、当該ユーザ識別子により特定される前記ユーザに前記商品識別情報に対応する特典を付与するステップと、
を有する特典付与方法。
【請求項２】
前記コンピュータが実行する、前記ユーザ識別子と、前記商品識別情報と、前記店舗識別情報とを前記ユーザから取得するステップをさらに有し、
前記記憶部に記憶させるステップにおいて、前記コンピュータは、前記ユーザ識別子と、前記商品識別情報と、前記店舗識別情報とを取得すると、取得した前記店舗識別情報と、前記商品識別情報と、前記ユーザ識別子とを関連付けて前記記憶部に記憶させる、
請求項１に記載の特典付与方法。
【請求項３】
コンピュータが実行する、ユーザを特定するためのユーザ識別子と、店舗においてユーザが購入したことに応じて特典が付与される対象商品を識別するための商品識別情報及び前記店舗を識別するための前記店舗識別情報を含み、前記対象商品の購入時における特典付与の申込を示す申込情報とを受信すると、所定の条件に基づいて、前記特典付与の申込を受け付けるか否かを判定するステップをさらに有し、
前記記憶部に記憶させるステップにおいて、前記コンピュータは、前記判定するステップにおいて前記特典付与の申込を受け付けると判定した場合に、前記ユーザ識別子と、前記申込情報とを関連付けて記憶部に記憶させ、
前記特典を付与するステップにおいて、前記コンピュータは、前記店舗端末から前記決済用トークンを受信すると、前記決済用トークンに対応するユーザ識別子に関連付けられて前記記憶部に記憶され、受信した店舗識別情報に対応する前記申込情報に含まれている前記商品識別情報を特定し、受信した前記特典対象商品情報が、特定した前記商品識別情報に対応している場合に、当該ユーザ識別子により特定される前記ユーザに前記商品識別情報に対応する特典を付与する、
請求項１又は２に記載の特典付与方法。
【請求項４】
前記判定するステップ又は前記特典を付与するステップにおいて、前記コンピュータは、前記申込情報を受信した順番に基づいて、前記特典付与の申込を受け付けるか否かを判定し、又は前記特典を付与するか否かを判定する、
請求項３に記載の特典付与方法。
【請求項５】
前記判定するステップ又は前記特典を付与するステップにおいて、前記コンピュータは、抽選に基づいて前記特典付与の申込を受け付けるか否かを判定し、又は前記特典を付与するか否かを判定する、
請求項３又は４に記載の特典付与方法。
【請求項６】
前記コンピュータが前記申込情報を受信したタイミングで前記判定するステップを実行する、
請求項３から５のいずれか１項に記載の特典付与方法。
【請求項７】
前記特典を付与するステップにおいて、前記コンピュータは、前記特典としての金額の割引を、前記決済に対応する決済金額に適用し、
前記決済処理を行うステップにおいて、前記コンピュータは、前記特典が適用された決済金額に基づいて決済を行うステップをさらに有する、
請求項１から６のいずれか１項に記載の特典付与方法。
【請求項８】
前記特典を付与するステップにおいて、前記コンピュータは、前記ユーザ端末から受信した前記決済用トークンが、前記記憶部に記憶されているか否かを判定することにより、前記ユーザ端末から受信した前記決済用トークンと、前記店舗端末に送信された前記決済用トークンが一致するか否かを判定し、一致すると判定した場合に、前記ユーザに前記商品識別情報に対応する特典を付与する、
請求項１から７のいずれか１項に記載の特典付与方法。
【請求項９】
前記受信するステップにおいて、前記コンピュータは、前記店舗端末が決済対象の一以上の商品の中から一以上の前記対象商品を特定することにより生成した前記特典対象商品情報を前記店舗端末から受信する、
請求項１から８のいずれか１項に記載の特典付与方法。
【請求項１０】
前記記憶部に記憶させるステップにおいて、前記コンピュータは、前記ユーザ識別子と、複数の前記商品識別情報とを関連付けて前記記憶部に記憶させ、
前記特典を付与するステップにおいて、前記コンピュータは、受信した前記特典対象商品情報に、受信した決済用トークンに対応するユーザ識別子に関連付けられて前記記憶部に記憶されている複数の前記商品識別情報が含まれている場合に、前記ユーザに前記複数の商品識別情報に対応する特典を付与する、
請求項１から９のいずれか１項に記載の特典付与方法。
【請求項１１】
前記特典を付与するステップにおいて、前記コンピュータは、受信した決済用トークンに対応するユーザ識別子に対応するユーザの前記商品識別情報に対応する前記対象商品の購入回数に基づいて、前記特典を付与する、
請求項１から１０のいずれか１項に記載の特典付与方法。
【請求項１２】
店舗においてユーザが購入したことに応じて特典が付与される対象商品を識別するための商品識別情報と、前記店舗を識別するための店舗識別情報と、前記ユーザを特定するためのユーザ識別子とを関連付けて記憶部に記憶させる記憶制御部と、
前記ユーザのユーザ端末から、前記ユーザ識別子と、前記ユーザが店舗で決済するための決済用コードの取得要求とを受け付けると、前記決済用コードを生成するための決済用トークンを前記ユーザ識別子と対応付けて生成し、生成した前記決済用トークンを前記ユーザ端末に送信するトークン生成部と、
前記決済用トークンに基づいて前記ユーザ端末が表示した前記決済用コードを読み取った店舗端末から、前記ユーザが購入する一以上の商品の決済に用いるための決済情報と、前記店舗端末に対応する店舗の店舗識別情報と、前記決済用トークンと、前記一以上の商品のうち一以上の前記対象商品を特定するための特典対象商品情報とを受信する決済情報受信部と、
前記店舗端末から前記決済用トークンを受信すると、前記決済用トークンに対応するユーザ識別子に基づいて決済処理を行う決済処理部と、
前記店舗端末から前記決済用トークンを受信すると、前記決済用トークンに対応するユーザ識別子に関連付けられて前記記憶部に記憶されている前記店舗識別情報と前記商品識別情報とを特定し、受信した前記店舗識別情報と前記特典対象商品情報とが、特定した前記店舗識別情報と前記商品識別情報とに対応している場合に、当該ユーザ識別子により特定される前記ユーザに前記商品識別情報に対応する特典を付与する特典付与部と、
を有する特典付与装置。
【発明の詳細な説明】
【技術分野】
【０００１】
本発明は、特典付与方法及び特典付与装置に関する。
【背景技術】
【０００２】
ＱＲコード（登録商標）等の二次元バーコードを用いたコード決済が普及している（例えば、特許文献１、特許文献２を参照）。コード決済は、店舗側が表示した二次元バーコードをユーザ端末により読み取るか、ユーザ端末が表示した二次元バーコードを店舗側が読み取ることにより決済が行われる。
【先行技術文献】
【特許文献】
【０００３】
【特許文献１】特許６５２８１６０号公報
【特許文献２】特許６４７３５３９号公報
【発明の概要】
【発明が解決しようとする課題】
【０００４】
従来のコード決済では、決済時に支払額を減額するという特典を付与することができるものの、特定の商品の購入に応じて、決済時に特典を付与することができないという問題があった。
【０００５】
そこで、本発明はこれらの点に鑑みてなされたものであり、特定の商品を購入したことに基づいて決済時に特典を付与することができる特典付与方法及び特典付与装置を提供することを目的とする。
【課題を解決するための手段】
【０００６】
本発明の第１の態様に係る特典付与方法は、コンピュータが実行する、ユーザを特定するためのユーザ識別子と、購入に応じて特典が付与される対象商品の購入時における特典付与の申込を示す申込情報とを前記ユーザから取得するステップと、前記申込情報と前記ユーザ識別子とを関連付けて記憶部に記憶させるステップと、前記ユーザのユーザ端末から、前記ユーザ識別子と、前記ユーザが店舗で決済するための決済用コードの取得要求とを受け付けるステップと、前記取得要求を受け付けると、前記決済用コードを生成するための決済用トークンを生成するステップと、生成した前記決済用トークンを前記ユーザ端末に送信するステップと、前記決済用トークンに基づいて前記ユーザ端末が表示した前記決済用コードを読み取った店舗端末から、一以上の商品の決済に用いるための決済情報と、前記決済用トークンと、前記一以上の商品のうち一以上の前記対象商品を特定するための特典対象商品情報と、を受信するステップと、前記店舗端末から前記決済用トークンを受信すると、前記決済用トークンに対応するユーザ識別子に関連付けられて前記記憶部に記憶されている前記申込情報を特定するステップと、特定した前記申込情報と、受信した前記特典対象商品情報とが対応している場合に、前記ユーザに前記申込情報に対応する特典を付与するステップと、を有する。
【０００７】
本発明の第２の態様に係る特典付与装置は、ユーザを特定するためのユーザ識別子と、購入に応じて特典が付与される対象商品の購入時における特典付与の申込を示す申込情報とを前記ユーザから取得すると、前記申込情報と前記ユーザ識別子とを関連付けて記憶部に記憶させる申込受付部と、前記ユーザのユーザ端末から、前記ユーザ識別子と、前記ユーザが店舗で決済するための決済用コードの取得要求とを受け付けると、前記決済用コードを生成するための決済用トークンを生成し、生成した前記決済用トークンを前記ユーザ端末に送信するトークン生成部と、前記決済用トークンに基づいて前記ユーザ端末が表示した前記決済用コードを読み取った店舗端末から、一以上の商品の決済に用いるための決済情報と、前記決済用トークンと、前記一以上の商品のうち一以上の前記対象商品を特定するための特典対象商品情報とを受信する決済情報受信部と、前記店舗端末から前記決済用トークンを受信すると、前記決済用トークンに対応するユーザ識別子に関連付けられて前記記憶部に記憶されている前記申込情報を特定し、特定した前記申込情報と、受信した前記特典対象商品情報とが対応している場合に、前記ユーザに前記申込情報に対応する特典を付与する特典付与部と、を有する。
【発明の効果】
【０００８】
本発明によれば、特定の商品を購入したことに基づいて決済時に特典を付与することができるという効果を奏する。
【図面の簡単な説明】
【０００９】
【図１】決済システムの概要を示す図である。
【図２】決済装置の機能構成を示す図である。
【図３】ユーザ端末の機能構成を示す図である。
【図４】店舗端末の機能構成を示す図である。
【図５】記憶部が記憶している申込管理情報の一例を示す図である。
【図６】特典付与システムの動作シーケンス図である。
【発明を実施するための形態】
【００１０】
［決済システムＳの概要］
図１は、決済システムＳの概要を示す図である。決済システムＳは、ユーザが店舗において商品を購入する場合に、ユーザが所持するユーザ端末からの要求に応じて決済用コードをユーザ端末に表示させ、店舗側で決済用コードが読み込まれたことに応じて決済を行うシステムである。決済システムＳは、決済時にユーザに特典を付与する特典付与システムとして機能する。決済用コードは、店舗での精算に用いられる店舗側の端末において読み取れるテキスト又は画像であり、決済時に用いられるコードである。
【００１１】
決済システムＳは、決済装置１と、ユーザ端末２と、店舗端末３とを備える。決済装置１は、購入金額の決済を行うサーバである。決済装置１は、ユーザに特典を付与する特典付与装置としても機能する。本実施形態において、特典は、特定の商品をユーザが購入することに応じて付与される。以下の説明において、特典が付与される特定の商品を対象商品という。
【００１２】
ユーザ端末２は、ユーザが使用する情報端末であり、例えばスマートフォン、タブレット又はパーソナルコンピュータである。特典を提供する商品の販売事業者は、インターネットを介した広告配信機能等を利用して、ユーザ端末２に特典の付与に関する情報を提供する。
【００１３】
ユーザは、特典付与の申込を予め行うことにより、対象商品の購入時に特典の付与を受けることができる。以下、図１を参照しながら、商品の代金の決済及び特典の付与が行われるまでの流れを説明する。
【００１４】
ユーザは、ユーザ端末２において、特典付与の申込操作を行う（図１における（１））。一例として、ユーザが、決済用のアプリケーションソフトウェアを起動して、ユーザを識別するユーザ識別子としてのユーザＩＤを入力すると、ユーザ端末２は、ユーザＩＤを決済事業者に送信して、アプリケーションにログインする。そして、ユーザ端末２は、決済事業者のサーバに、ユーザが申込可能な特典を問い合わせる。
【００１５】
決済事業者のサーバは、特典を識別する特典ＩＤと、特典の内容と、対象商品を識別する商品識別情報としての商品ＩＤと、商品名とを関連付けて記憶している。決済事業者のサーバは、ユーザが申込可能な特典の特典ＩＤを記憶媒体（例えばハードディスク）から読み出して、読み出した特典ＩＤに対応する特典の内容、商品ＩＤ及び商品名をユーザ端末２に送信する。
【００１６】
ユーザ端末２は、受信した特典の内容、商品ＩＤ及び商品名を表示する。ユーザが、申込を行う特典を選択する操作を行うと、ユーザ端末２は、選択された特典の付与の申込を示す申込情報と、ユーザＩＤとを決済装置１に送信する（図１における（２））。決済装置１は、申込情報とユーザＩＤとを受信すると、申込情報とユーザＩＤとを関連付けて記憶する（図１における（３））。
【００１７】
その後、ユーザは、店舗に移動し、店舗において対象商品を含む商品の購入を行う。ユーザは、店舗において会計を行う場合に、決済用のアプリケーションソフトウェアを起動し、決済用コードをユーザ端末２に表示させるための操作を行う。ユーザ端末２は、決済用コードを表示させるための操作を受け付けると、ユーザＩＤと、決済用コードの取得要求とを決済装置１に送信する（図１における（４））。
【００１８】
決済装置１は、ユーザ端末２から、ユーザＩＤと、決済用コードの取得要求とを受信すると、決済用トークンを生成する（図１における（５））。決済用トークンは、ユーザが店舗で提示する決済用コードをユーザ端末２が生成する際に用いるデータ列である。決済装置１は、生成した決済用トークンとユーザＩＤとを関連付けて記憶媒体に記憶する（図１における（６））。
【００１９】
決済装置１は、生成した決済用トークンをユーザ端末２に送信する（図１における（７））。決済装置１は、決済用トークンを暗号化した後に、暗号化した決済用トークンをユーザ端末２に送信してもよい。
【００２０】
ユーザ端末２は、受信した決済用トークンに基づいて決済用コードを生成して表示させる（図１における（８））。
ユーザは、店舗のレジで商品の購入代金を精算する際に決済用コードを提示する。そして、例えば店員の操作により、店舗端末３が、ユーザ端末２に表示された決済用コードを読み取る（図１における（９））。
【００２１】
店舗端末３は、ユーザが購入する商品の合計額を示す決済情報と、読み取った決済用コードが示す決済用トークンと、特典対象商品を特定するための特典対象商品情報と、店舗ＩＤとを決済装置１に送信する（図１における（１０））。特典対象商品情報は、ユーザが店舗で購入する商品のうち、特典が付与される対象商品を特定するための情報であり、対象商品の商品ＩＤが含まれる。店舗端末３が特典対象商品情報を決済装置１に送信することにより、決済装置１は、ユーザが、対象商品を購入するか否かを判別することができる。
【００２２】
決済装置１は、店舗端末３から決済用トークンを受信すると、受信した決済用トークンが、ユーザ端末２に送信した決済用トークンと一致するか否かを判定する。決済装置１は、決済用トークンが一致すると判定した場合に、受信した決済用トークンに関連付けられているユーザＩＤを特定し、特定したユーザＩＤに関連付けられている申込情報を特定する（図１における（１１））。
【００２３】
決済装置１は、店舗端末３から受信した決済情報が示す決済金額から、特定した申込情報に含まれている対象商品の商品ＩＤが、受信した特典対象商品情報に含まれる対象商品の商品ＩＤに含まれているか否かを判定する。決済装置１は、申込情報に含まれている対象商品の商品ＩＤが、受信した特典対象商品情報に対応する商品ＩＤに含まれている場合に、当該申込情報に対応する特典としての割引額を減額した後の金額を、ユーザの決済金額に決定することにより、ユーザに特典を付与する。そして、決済装置１は、決定した決済金額に基づく決済処理を実行する（図１における（１２））。決済装置１は、決済処理が終了すると、決済処理が終了したこと、及び特典の適用結果をユーザ端末２及び店舗端末３の少なくともいずれかに通知する。
【００２４】
決済システムＳが以上のように動作することで、ユーザが予め特典付与の申込を行い、その後、対象商品を含む商品の購入時に、ユーザ端末２に表示された決済用コードを店舗側に提示し、店舗の店員が決済用コードを読み取って決済をする通常の処理をするだけで、決済時に対象商品の購入に基づく特典の付与を行うことができる。
以下、決済装置１、ユーザ端末２及び店舗端末３の構成の詳細を説明する。以下の説明においては、特典の内容が、商品の価格の割引である場合を例にして説明する。
【００２５】
［決済装置１の機能構成］
図２は、決済装置１の機能構成を示す図である。決済装置１は、通信部１１と、記憶部１２と、制御部１３とを有する。
【００２６】
通信部１１は、インターネット等のネットワークを介してユーザ端末２及び店舗端末３とデータを送受信するための通信インターフェースである。
【００２７】
記憶部１２は、各種のデータを記憶する記憶媒体であり、ＲＯＭ（Read Only Memory）、ＲＡＭ（Random Access Memory）、及びハードディスク等を有する。記憶部１２は、制御部１３が実行するプログラムを記憶する。記憶部１２は、制御部１３を、申込受付部１３１、トークン生成部１３２、決済情報受信部１３３、特典付与部１３４、及び決済部１３５として機能させる決済用プログラムを記憶する。
【００２８】
また、記憶部１２は、ユーザ端末２から取得した申込情報と、ユーザＩＤとを関連付けて記憶する。また、記憶部１２は、制御部１３が生成した決済用トークンと、ユーザ端末２から取得したユーザＩＤとを関連付けて記憶する。
【００２９】
制御部１３は、例えばＣＰＵ（Central Processing Unit）である。制御部１３は、記憶部１２に記憶された決済用プログラムを実行することにより、申込受付部１３１、トークン生成部１３２、決済情報受信部１３３、特典付与部１３４、及び決済部１３５として機能する。制御部１３の各部の動作の詳細については後述する。
【００３０】
［ユーザ端末２の機能構成］
図３は、ユーザ端末２の機能構成を示す図である。ユーザ端末２は、操作部２１と、通信部２２と、表示部２３と、記憶部２４と、制御部２５とを有する。制御部２５は、操作受付部２５１と、要求送信部２５２と、コード生成部２５３とを有する。
【００３１】
操作部２１は、ユーザの操作を受け付ける操作デバイスであり、例えば表示部２３の表面に設けられたタッチパネルである。操作部２１は、ユーザがタッチした位置を示す信号を操作受付部２５１に通知する。
【００３２】
通信部２２は、例えば携帯電話網の基地局との間でデータを送受信するための無線通信インターフェースである。通信部２２は、要求送信部２５２から入力された申込情報を決済装置１に送信する。また、通信部２２は、決済装置１から受信した決済用トークン等をコード生成部２５３に入力する。
【００３３】
表示部２３は、各種の情報を表示するディスプレイである。表示部２３は、コード生成部２５３の制御に基づいて、決済用コードを表示する。
【００３４】
記憶部２４は、ＲＯＭ及びＲＡＭ等を含む記憶媒体である。記憶部２４は、制御部２５が実行するプログラムを記憶している。記憶部２４は、制御部２５を、操作受付部２５１、要求送信部２５２、及びコード生成部２５３として機能させるプログラムを記憶する。また、記憶部２４は、決済装置１から受信した決済用トークン、及び決済用トークンに基づいて生成された決済用コード等を記憶する。
【００３５】
制御部２５は、例えばＣＰＵであり、記憶部２４に記憶されたプログラムを実行することにより、操作受付部２５１、要求送信部２５２及びコード生成部２５３として機能する。
【００３６】
操作受付部２５１は、操作部２１から入力された信号に基づいて、ユーザの操作内容を特定する。操作受付部２５１は、特定した操作内容が、特典付与の申込操作である場合に、操作内容を要求送信部２５２に通知する。要求送信部２５２は、操作受付部２５１が特典付与の申込操作を受け付けた場合に、通信部２２を介して、ユーザＩＤと、申込情報とを決済装置１に送信する。
【００３７】
操作受付部２５１は、特定した操作内容が、決済用コードをユーザ端末２に表示させるための操作である場合に、操作内容を要求送信部２５２に通知する。要求送信部２５２は、操作受付部２５１が、決済用コードをユーザ端末２に表示させるための操作を受け付けた場合に、通信部２２を介して、ユーザＩＤと、決済用コードの取得要求とを決済装置１に送信する。
【００３８】
コード生成部２５３は、決済装置１から決済用トークンが送信されると、決済用トークンに基づく決済用コードを生成する。コード生成部２５３は、例えば、予め定められた規則に基づいて決済用コードを生成する。コード生成部２５３は、生成した決済用コードを表示部２３に表示させる。
【００３９】
［店舗端末３の機能構成］
図４は、店舗端末３の機能構成を示す図である。店舗端末３は、例えばＰＯＳ端末であり、操作部３１と、読取部３２と、通信部３３と、表示部３４と、記憶部３５と、制御部３６とを有する。
【００４０】
操作部３１は、ユーザの操作を受け付ける操作デバイスであり、例えばユーザが購入する商品を選択するためのボタンや、表示部３４の表面に設けられたタッチパネルである。
【００４１】
読取部３２は、例えば、バーコードリーダ及びカメラであり、ユーザが購入する商品に付されているバーコードや、ユーザ端末２が表示した決済用コードを読み取る。読取部３２は、読み取ったバーコード及び決済用コードが示す情報を制御部３６に出力する。
【００４２】
通信部３３は、例えば決済装置１との間でデータを送受信するための通信インターフェースである。通信部３３は、制御部３６の制御に応じて、決済用トークン、決済情報、特典対象商品情報、店舗ＩＤを決済装置１に送信する。
【００４３】
表示部３４は、各種の情報を表示するディスプレイである。表示部３４は、例えば、決済金額を表示する。
【００４４】
記憶部３５は、ＲＯＭ及びＲＡＭ等を含む記憶媒体である。記憶部３５は、制御部３６が実行するプログラムを記憶している。記憶部３５は、制御部３６を、決済情報生成部３６１、対象商品特定部３６２、トークン取得部３６３、及び決済情報送信部３６４として機能させるプログラムを記憶する。また、記憶部３５は、商品ＩＤと、商品の価格とを関連付けた商品ＤＢを記憶する。また、記憶部３５は、対象商品を示す商品ＩＤを含む対象商品ＤＢを記憶する。
【００４５】
制御部３６は、例えばＣＰＵであり、記憶部３５に記憶されたプログラムを実行することにより、決済情報生成部３６１、対象商品特定部３６２、トークン取得部３６３、及び決済情報送信部３６４として機能する。
【００４６】
決済情報生成部３６１は、決済対象の一以上の商品を特定し、決済情報を生成する。具体的には、決済情報生成部３６１は、操作部３１において店員が入力した商品ＩＤ又は読取部３２が商品に付されたバーコードから読み取った商品ＩＤを取得することにより、取得した商品ＩＤの商品を決済対象の商品と特定する。決済情報生成部３６１は、記憶部３５に記憶されている商品ＤＢを参照し、取得した商品ＩＤに関連付けられている商品の価格を特定する。決済情報生成部３６１は、操作部３１において店員が入力した商品ＩＤ又は読取部３２が商品に付されたバーコードから読み取った商品ＩＤを一以上取得し、当該商品ＩＤから特定した商品の価格を集計する。決済情報生成部３６１は、操作部３１において精算操作を受け付けると、集計した商品の価格を決済金額に決定する。決済情報生成部３６１は、決定した決済金額を含む決済情報を生成する。
【００４７】
対象商品特定部３６２は、決済対象の一以上の商品の中から一以上の対象商品を特定することにより特典対象商品情報を生成する。特典対象商品情報は、店舗端末３が設置されている店舗においてユーザが購入する一以上の商品のうち、特典付与対象の対象商品を特定するための情報である。対象商品特定部３６２は、決済情報生成部３６１が取得した商品ＩＤのうち、記憶部３５に記憶されている対象商品ＤＢに含まれている商品ＩＤを特定する。対象商品特定部３６２は、特定した商品ＩＤの商品を対象商品と特定し、特定した商品ＩＤを特典対象商品情報として生成する。特典対象商品情報には、ユーザ端末２のユーザが特典付与の申込を行っていない対象商品も含まれる。なお、対象商品特定部３６２は、決済情報生成部３６１が取得した商品ＩＤに、記憶部３５に記憶されている対象商品ＤＢに含まれている商品ＩＤが含まれず、対象商品を特定できなかった場合には、特典対象情報を生成しない。
【００４８】
店舗端末３は、ユーザが購入しようとする全ての商品の金額を合算した金額を決済装置１に送信するが、決済装置１は、合算した金額のみを通知された場合、ユーザが購入しようとする商品の中に、対象商品が含まれているか否かを判定できない。このように、店舗端末３が、特典対象商品情報を決済装置１に送信することで、決済装置１が、特典が与えられる商品をユーザが購入するか否かを判定できるので、決済装置１が適切に特典を付与することができる。
【００４９】
トークン取得部３６３は、読取部３２が、ユーザ端末２に表示された決済用コードを読み取ることにより、決済用コードから抽出した情報を、決済用トークンとして取得する。
【００５０】
決済情報送信部３６４は、決済情報生成部３６１が決済情報を生成し、対象商品特定部３６２が特典対象商品情報を生成し、トークン取得部３６３が決済用トークンを取得すると、通信部３３を介して、決済用トークンと、決済情報と、特典対象商品情報と、店舗ＩＤとを決済装置１に送信する。なお、決済情報送信部３６４は、対象商品特定部３６２が特典対象情報を生成しなかった場合には、決済用トークンと、決済情報と、店舗ＩＤとを決済装置１に送信する。
【００５１】
［制御部１３の各部の動作］
続いて、制御部１３の各部の動作について説明する。
申込受付部１３１は、通信部１１を介して、ユーザＩＤと利用要求とをユーザ端末２から受け付ける。申込受付部１３１は、受け付けたユーザＩＤ及び利用要求をトークン生成部１３２に通知する。
【００５２】
申込受付部１３１は、ユーザから対象商品の購入時における特典付与の申込を受け付ける。具体的には、申込受付部１３１は、ユーザを特定するためのユーザＩＤと、対象商品の購入時における特典付与の申込を示す申込情報とをユーザから取得することにより、特典付与の申込を受け付ける。申込情報には、例えば、店舗を識別する店舗ＩＤ、商品を識別する商品ＩＤ及び特典の内容が含まれている。
【００５３】
ここで、申込受付部１３１は、ユーザ端末２からユーザＩＤと申込情報とを受信することにより、特典付与の申込を受け付けることとしたが、これに限らず、ユーザが使用する他の端末から、ユーザＩＤと申込情報とを受信することにより、特典付与の申込を受け付けてもよい。申込受付部１３１は、ユーザＩＤと申込情報と取得すると、当該申込情報と、当該ユーザＩＤと、申込日時とを関連付けて、申込管理情報として、記憶部１２に記憶させる。
【００５４】
図５は、記憶部１２が記憶している申込管理情報の一例を示す図である。図５に示すように、申込管理情報においては、ユーザＩＤと、申込日時と、申込情報とが関連付けられていることが確認できる。なお、一つの申込情報には、複数の商品ＩＤが含まれていてもよい。
【００５５】
ここで、申込受付部１３１は、ユーザＩＤ及び申込情報を受信すると、申込情報を受信したタイミングで、所定の条件に基づいて、特典付与の申込を受け付けるか否かを判定してもよい。そして、申込受付部１３１は、特典付与の申込を受け付けると判定したことに応じて、受信した申込情報と、ユーザＩＤとを関連付けて、申込管理情報として、記憶部１２に記憶させてもよい。
【００５６】
所定の条件は、複数のユーザ間において申込情報を受信した順番が、所定の順番以内であることであり、申込受付部１３１は、ユーザ端末２から申込情報を受信した順番に基づいて、特典付与の申込を受け付けるか否かを判定してもよい。また、所定の条件は、抽選において当選することであってもよく、申込受付部１３１は、抽選に基づいて特典付与の申込を受け付けるか否かを判定してもよい。このようにすることで、決済装置１は、特典付与の申込時に、申込を受け付けるユーザの絞り込みを行うことができる。
【００５７】
トークン生成部１３２は、ユーザ端末２から、ユーザＩＤと、ユーザ端末２のユーザが店舗で決済するための決済用コードの取得要求とを受け付ける。トークン生成部１３２は、決済用コードの取得要求を受け付けると、決済用コードを生成するための決済用トークンを生成する。トークン生成部１３２は、生成した決済用トークンと、ユーザＩＤとを関連付けて記憶部１２に記憶させる。また、トークン生成部１３２は、生成した決済用トークンを、決済用コードの取得要求を送信したユーザ端末２に送信する。
【００５８】
決済情報受信部１３３は、決済用トークンに基づいてユーザ端末２が表示した決済用コードを読み取った店舗端末３から、一以上の商品の決済に用いるための決済情報と、決済用トークンと、一以上の商品のうち一以上の特典対象の商品を特定するための特典対象商品情報と、店舗ＩＤとを受信する。
【００５９】
特典付与部１３４は、決済情報受信部１３３が、店舗端末３から決済用トークンを受信すると、受信した決済用トークンが、記憶部１２に記憶されているか否かを判定する。特典付与部１３４は、受信した決済用トークンが、記憶部１２に記憶されていると判定すると、受信した決済用トークンに対応するユーザＩＤに関連付けられて記憶部１２に記憶されている申込情報を特定する。具体的には、特典付与部１３４は、店舗端末３から決済用トークンを受信すると、記憶部１２を参照し、受信した決済用トークンに関連付けられているユーザＩＤを特定する。そして、特典付与部１３４は、申込管理情報を参照し、特定したユーザＩＤと、受信した店舗ＩＤとに関連付けられている申込情報を特定する。
【００６０】
特典付与部１３４は、店舗端末３から特典対象商品情報を受信した場合において、特定した申込情報と、当該特典対象商品情報とが対応しているとき、ユーザに申込情報に対応する特典を付与する。例えば、特典付与部１３４は、特定した申込情報に含まれている商品ＩＤが受信した特典対象商品情報に含まれている場合、申込情報と、店舗端末３から受信した特典対象商品情報とが対応していると判定する。
【００６１】
そして、特典付与部１３４は、特典対象商品情報と対応している申込情報に含まれている特典内容に基づいて、ユーザに特典を付与する。ここでは、受信した決済情報が示す決済金額から、特典内容に示される割引額が減算される。
【００６２】
例えば、特典対象商品情報として、「ｉ３８２」、「ｉ３５５」、「ｉ９００」が含まれており、特定した申込情報に含まれる商品ＩＤが「ｉ３８２」であるとする。また、ユーザが店舗で買物をした商品の合計額が３０００円であるとする。
【００６３】
この場合、特典付与部１３４は、特典対象商品情報の中に含まれている商品ＩＤ「ｉ３８２」が特定した申込情報にも含まれているので、申込管理情報において当該商品ＩＤに関連付けられている特典の内容「５０円割引」に基づいて、３０００円から５０円を減算した２９５０円をユーザの決済金額に決定する。
【００６４】
仮に、特定された申込情報に、商品ＩＤ「ｉ３５５」が含まれていない場合、ユーザが商品ＩＤ「ｉ３５５」の商品を購入しても、特定した申込情報と、店舗端末３から受信した特典対象商品情報とが対応しないため、特典は付与されない。
【００６５】
ここで、特典付与部１３４は、受信した特典対象商品情報に、一つの申込情報に含まれる複数の商品が含まれている場合に、当該申込情報に対応する特典をユーザに付与してもよい。特典付与部１３４は、例えば、特定した申込情報に複数の商品ＩＤが含まれている場合、受信した特典対象商品情報に当該複数の商品ＩＤが含まれているときに、申込情報と、店舗端末３から受信した特典対象商品情報とが対応していると判定し、ユーザに特典を付与する。このようにすることで、決済装置１は、申込情報に対応する複数の商品が同時に購入された場合に特典を付与することができる。
【００６６】
なお、特典付与部１３４は、ユーザの対象商品の購入回数に基づいて、申込情報に対応する特典を付与してもよい。この場合、記憶部１２に、ユーザが購入した対象商品の商品ＩＤと、当該ユーザのユーザＩＤと、対象商品の購入日時とを関連付けた購入履歴情報を記憶させておく。特典付与部１３４は、特定した申込情報と、特典対象商品情報とが対応していると判定した場合に、購入履歴情報を参照し、当該申込情報に含まれている対象商品の購入回数を特定する。特典付与部１３４は、対象商品の購入回数が予め定められた購入回数と一致した場合に、申込情報に対応する特典を付与する。
【００６７】
また、特典付与部１３４は、ユーザが申込情報に対応する対象商品を初めて購入した場合に、当該申込情報に対応する特典を付与してもよい。この場合、特典付与部１３４は、特定した申込情報と、特典対象商品情報とが対応していると判定した場合に、購入履歴情報を参照し、当該申込情報に含まれている対象商品が過去に購入されていないかを特定する。特典付与部１３４は、対象商品が過去に購入されていないことを特定すると申込情報に対応する特典を付与する。このようにすることで、決済装置１は、対象商品の初購入を条件として特典を付与することができる。
【００６８】
また、特典付与部１３４は、申込情報を受信した順番に基づいて、申込情報に対応する特典を付与してもよい。この場合、特典付与部１３４は、特定した申込情報と、特典対象商品情報とが対応していると判定した場合に、記憶部１２に記憶されている申込管理情報を参照し、ユーザを含む全ユーザのそれぞれの当該申込情報の申込日時を参照し、当該ユーザが特典付与の申込を行った順番を特定する。特典付与部１３４は、当該ユーザが特典付与の申込を行った順番が、予め定められた順番以内である場合に、申込情報に対応する特典を付与する。このようにすることで、ユーザに、早期に特典付与の申込を行わせることができる。
【００６９】
また、特典付与部１３４は、抽選に基づいて、申込情報に対応する特典を付与してもよい。この場合、特典付与部１３４は、特定した申込情報と、特典対象商品情報とが対応していると判定した場合に、抽選を行い、ユーザが当選したか否かを判定する。特典付与部１３４は、当該ユーザが当選したと判定すると、申込情報に対応する特典を付与する。このようにすることで、特典が付与されるユーザを抑制し、特典を提供する側における、特典の付与に係る費用を抑制することができる。
【００７０】
決済部１３５は、店舗端末３から受信した店舗ＩＤと、受信した決済用トークンに関連付けられているユーザＩＤと、特典付与部１３４が決定した決済金額とに基づいて決済を行う。例えば、決済部１３５は、記憶部１２において、決済用トークンと関連付けられて記憶されているユーザＩＤを特定し、当該ユーザＩＤで特定されるユーザの口座から決済金額を引き落とす処理を実行する。そして、決済部１３５は、受信した店舗ＩＤで特定される店舗の口座に決済金額を入金する処理を実行してもよい。決済部１３５は、決済金額から、決済装置１における決済手数料を差し引いた金額を、店舗の口座に入金してもよい。決済部１３５は、決済金額の決済が完了した場合、支払いが完了したことをユーザ端末２及び店舗端末３に通知する。また、決済部１３５は、特典付与部１３４によりユーザに特典が付されたことを示す情報をユーザ端末２に通知するとともに、ユーザに付された特典を示す情報として、割引額を示す情報をユーザ端末２に通知する。
【００７１】
［動作シーケンス］
図６は、決済システムＳの動作シーケンス図である。
図６に示すシーケンス図は、ユーザがユーザ端末２において特典付与の申込操作をしたところから開始している（Ｓ１）。ユーザ端末２の要求送信部２５２は、ユーザが特典付与の申込操作を行うと、ユーザＩＤと、申込情報とを決済装置１に送信する（Ｓ２）。
【００７２】
決済装置１の申込受付部１３１は、ユーザＩＤと、申込情報とを受信すると、ユーザＩＤと、申込情報と、申込日時とを関連付けて、申込管理情報として記憶部１２に記憶させる（Ｓ３）。
【００７３】
店舗において、ユーザは、購入する商品を選択し、店舗端末３を使用する店員に選択した商品を持ち込む。店舗端末３の決済情報生成部３６１は、操作部３１において店員が入力した商品ＩＤ又は読取部３２が商品に付されたバーコードから読み取った商品ＩＤを取得し、当該商品ＩＤに関連付けられている商品の価格を特定することにより、決済金額を算出する。決済情報生成部３６１は、決済金額を含む決済情報を生成する（Ｓ４）。また、店舗端末３の対象商品特定部３６２は、決済対象の一以上の商品の中から一以上の対象商品を特定することにより特典対象商品情報を生成する（Ｓ５）。
【００７４】
一方、ユーザがユーザ端末２において決済用コードを表示させる操作を行うと（Ｓ６）、要求送信部２５２は、ユーザＩＤと、決済用コードの取得要求とを決済装置１に送信する（Ｓ７）。
【００７５】
決済装置１のトークン生成部１３２は、ユーザＩＤと、決済用コードの取得要求とを取得すると、決済用コードを生成するための決済用トークンを生成する（Ｓ８）。トークン生成部１３２は、生成した決済用トークンと、ユーザＩＤとを関連付けて記憶部１２に記憶させる（Ｓ９）。トークン生成部１３２は、生成した決済用トークンを、決済用コードの取得要求を送信したユーザ端末２に送信する（Ｓ１０）。
【００７６】
ユーザ端末２のコード生成部２５３は、決済装置１から受信した決済用トークンに基づく決済用コードを生成し、生成した決済用コードを表示部２３に表示させる（Ｓ１１）。ユーザが店舗において、ユーザ端末２に表示された決済用コードを提示し、店舗端末３の読取部３２が決済用コードを読み取る（Ｓ１２）。店舗端末３の決済情報送信部３６４は、Ｓ４において生成された決済情報、Ｓ５において生成された特典対象商品情報、店舗ＩＤ、Ｓ１２において読み取られた決済用コードに含まれている決済用トークンを決済装置１に送信する（Ｓ１３）。
【００７７】
特典付与部１３４は、決済情報受信部１３３が店舗端末３から、決済情報、特典対象商品情報、店舗ＩＤ、決済用トークンを受信すると、受信した決済用トークンに対応するユーザＩＤに関連付けられて記憶部１２に記憶されている申込情報を特定する（Ｓ１４）。そして、特典付与部１３４は、特定した申込情報に受信した店舗ＩＤが含まれているとともに、特定した申込情報と、店舗端末３から受信した特典対象商品情報とが対応している場合に、ユーザに申込情報に対応する特典を付与する（Ｓ１５）。ここでは、特典として、決済金額からの割引が行われる。
【００７８】
続いて、決済部１３５は、受信した店舗ＩＤと、決済用トークンに関連付けられているユーザＩＤと、特典付与部１３４が決定した決済金額とに基づいて決済を行う（Ｓ１６）。
【００７９】
［決済システムＳによる効果］
以上説明したように、決済装置１は、ユーザＩＤと、対象商品の購入時における特典付与の申込を示す申込情報とを取得すると、当該ユーザＩＤと、申込情報とを関連付けて記憶部１２に記憶させる。決済装置１は、ユーザ端末２からユーザＩＤと、決済用コードの取得要求とを受け付けることにより決済用トークンを生成し、生成した決済用トークンをユーザ端末２に送信する。ユーザ端末２は、受信した決済用トークンに基づく決済用コードを作成する。決済装置１は、決済用トークンに基づいてユーザ端末２が表示した決済用コードを読み取った店舗端末３から、一以上の商品の決済に用いるための決済情報と、決済用トークンと、一以上の商品のうち一以上の特典対象の商品を特定するための特典対象商品情報とを受信すると、決済用トークンに対応するユーザ識別子に関連付けられて記憶部１２に記憶されている申込情報を特定する。そして、決済装置１は、特定した申込情報と、受信した特典対象商品情報とが対応している場合に、ユーザに申込情報に対応する特典を付与する。このようにすることで、店舗の店員は、決済用コードを読み取るだけで精算処理をすることができ、かつユーザ端末２のユーザは、決済時に特典による割引を受けることができるので、特典の付与を伴う電子決済の決済処理が簡略になる。
【００８０】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００８１】
１  決済装置
２  ユーザ端末
３  店舗端末
１１  通信部
１２  記憶部
１３  制御部
２１  操作部
２２  通信部
２３  表示部
２４  記憶部
２５  制御部
３１  操作部
３２  読取部
３３  通信部
３４  表示部
３５  記憶部
３６  制御部
１３１  申込受付部
１３２  トークン生成部
１３３  決済情報取得部
１３４  特典付与部
１３５  決済部
２５１  操作受付部
２５２  要求送信部
２５３  コード生成部
３６１  決済情報生成部
３６２  対象商品特定部
３６３  トークン生成部
３６４  決済情報送信部
【図１】
0006942899.tif 000002
【図２】
0006942899.tif 000003
【図３】
0006942899.tif 000004
【図４】
0006942899.tif 000005
【図５】
0006942899.tif 000006
【図６】
0006942899.tif 000007